【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
媒体に液体を吐出して記録を行う記録部と、
上流側ローラーと下流側ローラーとに無端状の搬送ベルトが掛け回され、前記媒体をベルト外面に吸着して搬送するとともに、前記ベルト外面の少なくとも一部が前記記録部による記録位置にある第１状態と、前記ベルト外面が前記記録部による記録を行う記録位置にある前記第１状態よりも前記記録部から離れた第２状態と、を切り換え可能なベルト搬送部と、
前記ベルト外面に接触して当該ベルト外面を払拭する払拭部と、を備え、
前記ベルト搬送部の前記第２状態から前記第１状態への状態切替は、前記搬送ベルトを前記媒体を搬送する正方向とは反対の逆方向に所定距離移動させる予備動作を実行した後に実行される構成である、
ことを特徴とする記録装置。
【請求項２】
請求項１に記載の記録装置において、
前記ベルト搬送部は、上流側ローラーの回転軸を回動軸として回動することにより前記第１状態と前記第２状態とが切り替わる構成である、
ことを特徴とする記録装置。
【請求項３】
請求項１または請求項２に記載の記録装置において、
前記ベルト搬送部の前記第２状態から前記第１状態への状態切替は、前記予備動作の実行に続いて前記搬送ベルトの前記正方向への移動が開始された後に実行される構成である、
ことを特徴とする記録装置。
【請求項４】
請求項１または請求項２に記載の記録装置において、
前記ベルト搬送部の前記第２状態から前記第１状態への状態切替の後に前記搬送ベルトの前記正方向への移動が開始される構成である、
ことを特徴とする記録装置。
【請求項５】
請求項１から請求項４のいずれか一項に記載の記録装置において、
前記搬送ベルトを帯電させる帯電部を備え、前記搬送ベルトを前記正方向に移動する際に当該搬送ベルトを帯電させる、
ことを特徴とする記録装置。
【請求項６】
請求項１から請求項５のいずれか一項に記載の記録装置において、
前記ベルト搬送部の前記第２状態から前記第１状態への状態切替の際、前記搬送ベルトの停止時間が所定時間未満の場合には、前記予備動作を省略する、
ことを特徴とする記録装置。
【請求項７】
請求項１から請求項６のいずれか一項に記載の記録装置において、
前記ベルト搬送部を駆動する駆動源と、前記駆動源にかかる負荷を検出する負荷検出部と、を備え、
前記予備動作の実行に先立って前記搬送ベルトを前記正方向に予め定めた距離だけ移動させ、その際に前記負荷検出部が所定値より低い前記負荷を検出した場合には、前記予備動作を省略する、
ことを特徴とする記録装置。
【請求項８】
媒体に液体を吐出して記録を行う記録部と、
上流側駆動ローラーと下流側従動ローラーとに無端状の搬送ベルトが掛け回され、前記媒体をベルト外面に吸着して搬送するとともに、前記ベルト外面の少なくとも一部が前記記録部による記録位置にある第１状態と、前記ベルト外面が前記記録部による記録を行う記録位置にある前記第１状態よりも前記記録部から離れた第２状態と、を切り換え可能なベルト搬送部と、
前記ベルト搬送部に設けられ、前記ベルト外面に接触して当該ベルト外面を払拭する払拭部と、を備え、
前記ベルト搬送部は、上流側駆動ローラーの駆動軸を回動軸として回動することにより前記第１状態と前記第２状態とが切り替わる構成であり、
前記ベルト搬送部は、前記第２状態から前記第１状態への状態切替の際、前記上流側駆動ローラーを前記駆動軸に対して自由回転可能な状態にして前記状態切替を実行する構成である、
ことを特徴とする記録装置。
【請求項９】
請求項８に記載の記録装置において、
前記ベルト搬送部の前記第２状態から前記第１状態への状態切替の際、前記上流側駆動ローラーを駆動する駆動源に供給する電流をオフにする構成である、
ことを特徴とする記録装置。
【手続補正２】
【補正対象書類名】明細書
【補正対象項目名】０００４
【補正方法】変更
【補正の内容】
【０００４】
このため、特許文献１において、前記ベルト搬送手段は、記録用紙を搬送する方向（以下、正方向と言う）に搬送ベルトを回転させる前に、所定量だけ前記正方向とは反対の逆方向に回転させる様に構成されている。  
このことにより、前記払拭部の先端に付着した前記凝固物を前記払拭部から一旦離し、その後にベルトを回転させて、勢いをつけて前記凝固物を前記払拭部に接触させることができる。以って、前記払拭部が前記凝固物を払拭することができる。
【手続補正３】
【補正対象書類名】明細書
【補正対象項目名】００１２
【補正方法】変更
【補正の内容】
【００１２】
前記ベルト搬送部が、上流側ローラーの回転軸を回動軸として回動することにより前記第１状態と前記第２状態とが切り替わる構成であると、前記ベルト搬送部が前記第２状態から前記第１状態に切り替わる際に、前記搬送ベルトが前記媒体を搬送する正方向に移動する場合がある。前記払拭部の先端に前記凝固物が固着している状態のまま前記ベルト搬送部の前記第２状態から前記第１状態への状態切替を行うと、前記搬送ベルトが前記正方向に移動してしまい、前記払拭部が前記凝固物によって押されて向きが変わる等の不具合が生じる場合がある。  
本態様によれば、この不具合を抑制し、前記払拭部による前記搬送ベルトの適切な払拭を行うことができる。
【手続補正４】
【補正対象書類名】明細書
【補正対象項目名】００２８
【補正方法】変更
【補正の内容】
【００２８】
各図において示すＸ−Ｙ−Ｚ座標系は、Ｘ方向が記録装置内の搬送経路における記録媒体の幅方向、Ｙ方向が記録媒体の搬送方向、Ｚ方向が装置高さ方向を示している。各図において−Ｘ方向側を装置前面側とし、＋Ｘ方向側を装置背面側とする。
【手続補正５】
【補正対象書類名】明細書
【補正対象項目名】００３３
【補正方法】変更
【補正の内容】
【００３３】
給送経路１４には、用紙Ｐの搬送方向に沿って順に給送ローラー１７と、複数枚の用紙を１枚に分離する分離ローラー対１８が設けられている。  
給送ローラー１７は、図示しない駆動源により回転駆動する様に構成されている。また、分離ローラー対１８はリタードローラーとも呼ばれ、後述するストレート経路１２に向けて用紙Ｐを送る駆動ローラー１８ａと、駆動ローラー１８ａとの間で用紙Ｐをニップして分離する従動ローラー１８ｂと、を備えて構成されている。
【手続補正６】
【補正対象書類名】明細書
【補正対象項目名】００５８
【補正方法】変更
【補正の内容】
【００５８】
前記予備動作の後（図８の上から二番目の図）、ベルト搬送部２０の前記第２状態から前記第１状態への状態切替（進出動作）を行い、図８の上から三番目の図の状態とする。
このとき、前記進出動作に伴う搬送ベルト２１の正方向＋Ｃへの移動が生じ、凝固物Ｇは、正方向＋Ｃに距離Ｌ２移動して位置Ｅに位置する。  
この状態、すなわち、ベルト搬送部２０が前記第１状態になって凝固物Ｇが位置Ｅにある状態から、搬送ベルト２１が用紙Ｐを搬送する方向である正方向＋Ｃへの移動を開始すると、凝固物Ｇが払拭部２９に当たって掻き取られ、ベルト外面２１ａから凝固物Ｇが剥離する（図８の一番下の図）。尚、凝固物Ｇが位置Ｅにある状態からの搬送ベルト２１の前記正方向＋Ｃへの移動速度は、ベルト搬送部２０の前記進出動作に伴う搬送ベルト２１の＋Ｃ方向への移動速度よりも速く設定されていることが望ましい。